(57)【特許請求の範囲】
【請求項１】
建物の構成面になっている手摺り立設面から立ち上がった手摺りと、この手摺り立設面から離間して上方へ突出した建物躯体と、この建物躯体の上面に被せられた笠木と、この笠木と前記手摺りとの間に架設され、この手摺りを支持する控え部材とを含んで構成され、
前記笠木は、前記建物躯体にベース部材で固定されたブラケットとこのベース部材とを覆い、かつ前記ブラケットに係合連結されているとともに、前記笠木は、前記ブラケットの前記建物躯体の幅方向両側における上下延長部の上端に形成されている突片に載せられ、
前記控え部材は前記笠木の上面に配置された控え部材用結合具を介してこの笠木に結合され、この控え部材用結合具は前記笠木を貫通する止着具で前記ベース部材に止着され、
前記ブラケットに載せられている前記ベース部材は、このブラケットからはみ出す両端部の第１段部と、これらの第１段部に隣接した２個の第２段部と、これらの第２段部の間に形成されている１個の第３段部とを有するとともに、前記第１段部よりも前記第２段部は前記ブラケットの厚さ分高く、前記第２段部よりも第３段部は高くなっていて、この第３段部に前記笠木の下面が当たっており、
前記ベース部材は、前記ブラケットに２個形成された突条で前記建物躯体の幅方向に位置決めされていることを特徴とする手摺りの支持構造。
【請求項２】
請求項１に記載の手摺りの支持構造において、前記ブラケットの前記上下延長部の下端には、前記笠木を前記ブラケットに係合連結するための突片が形成されていることを特徴とする手摺りの支持構造。
【請求項３】
請求項１又は２に記載の手摺りの支持構造において、前記第３段部の下面にナットが固着され、このナットに、前記笠木を貫通して前記控え部材用結合具を前記ベース部材に止着するための前記止着具が、前記第３段部の孔に挿入されて螺入されていることを特徴とする手摺りの支持構造。
【請求項４】
請求項１〜３のいずれかに記載の手摺りの支持構造において、前記第３段部は、前記笠木に水勾配を生じさせるために傾斜していることを特徴とする手摺りの支持構造。
【請求項５】
請求項１〜４のいずれかに記載の手摺りの支持構造において、前記手摺り立設面には防水層が敷設され、前記手摺りはこの防水層を貫通してこの手摺り立設面に達する止着具が使用されずに手摺り立設面に固定されていることを特徴とする手摺りの支持構造。
【発明の詳細な説明】
【０００１】
【発明の属する技術分野】
本発明は、建物に立設される手摺りの支持構造に係り、例えば、屋上、ベランダ、バルコニ、さらには集合住宅の外廊下、外階段等に設けられる手摺りに利用できるものである。
【０００２】
【背景技術】
図６は、従来の手摺り６１を示し、この手摺り６１は建物の屋上６２に立設されているものである。建物の構成面である屋上面６３には、防水シート６４による防水層が形成され、この防水シート６４は屋上面６３に接着剤で敷設固定されており、屋上６２の周縁部には上方へ突出した建物躯体であるパラペット６５が形成され、このパラペット６５より建物内側には排水溝６６が設けられている。手摺り６１の立設場所は、手摺り６１を使用する人の安全性を考慮してパラペット６５よりも建物内側の屋上面６３であり、したがって屋上面６３は手摺り立設面となっており、手摺り６１の立設場所にはコンクリートブロック６７が防水シート６４上に設置され、このコンクリートブロック６７に手摺り６１の支柱６１Ａの下端の結合具６８が載置され、手摺り６１の基礎金具であるこの結合具６８はコンクリートブロック６７にアンカー等の止着具６９で固定されている。
【０００３】
そして、コンクリートブロック６７は、防水シート６４に接着剤で固定されている。
【０００４】
また、これ以外の手摺りの設置方法として、従来、屋上面６３の防水シート６４上に手摺りを配置するとともに、この手摺りの支柱の下部に型枠を組み立て、この型枠内にコンクリートスラリーを打設することにより、手摺りの支柱を根巻きコンクリートで固定することが行われている。
【０００５】
これらいずれの手摺り設置方法においても、手摺りを防水層を形成する防水シート６４が敷設された屋上面６３に立設するに際して、防水シート６４を貫通して屋上面６３に達するアンカー等の止着具は使用されていない。この理由は、防水シート６４による防水層がアンカー等の止着具で破壊されないようにするためである。
【０００６】
【発明が解決しようとする課題】
このため、従来の手摺りは接着剤やコンクリート重量によって屋上６２に固定設置されており、手摺りにかかる通常の荷重に対してはこの手摺りの支持構造で充分であるが、例えば、台風の強風が手摺りに作用し、その風圧が予想を超える大きさになる場合については、手摺りの支持強度を従来よりも大きくできる新たな支持構造を案出することが求められる。
【０００７】
本発明の目的は、手摺り立設面に達する止着具を使用しない場合は勿論のこと、この止着具を使用する場合にも、手摺りの支持強度をこれまでよりも大きくできる手摺りの支持構造を提供するところにある。
【０００８】
そして本発明は、建物の屋上のパラペットのように上方へ突出する建物躯体の上面には防水目的や外観対策のために笠木が配置されることに着目し、この笠木を有効利用して本発明の上記目的を達成しようとするものである。
【０００９】
【課題を解決するための手段】
本発明に係る手摺りの支持構造は、建物の構成面になっている手摺り立設面から立ち上がった手摺りと、この手摺り立設面から離間して上方へ突出した建物躯体と、この建物躯体の上面に被せられた笠木と、この笠木と前記手摺りとの間に架設され、この手摺りを支持する控え部材とを含んで構成されていることを特徴とするものである。
【００１０】
本発明では、手摺り立設面から立ち上がった手摺りと、建物躯体の上面に被せられた笠木との間に控え部材が架設され、手摺りはこの控え部材で支持されるため、この控え部材による支持の分だけ手摺りの支持強度を大きくできる。
【００１１】
また、笠木は建物躯体の上面に防水目的や外観対策のために被せられるものであるため、建物躯体にとって本来必要とされている笠木を有効に利用することにより、手摺りの支持強度を向上させることができる。
【００１２】
本発明において、控え部材は笠木から手摺りまで直線的に斜めに延びるものでもよく、また、笠木から鉛直上方に延びるとともに、その先端から水平に手摺りまで延びるものでもよく、さらには、鉛直上方に延びる直線部と、この直線部の上端から湾曲して手摺りまで延びるものでもよく、その形状はデザイン性等を考慮して任意に決めることができる。
【００１３】
また、控え部材は１本の材料からなるものでもよく、複数の材料の連結で形成されたものでもよく、その構造、形式は任意である。
【００１４】
笠木は、手摺りを支持する控え部材の一端を結合するために専用に製作されたものでもよく、また、笠木の上面に前記控え部材の一端を結合するための控え部材用結合具と、控え部材で支持される前記手摺りとは別の手摺りを笠木に結合するための手摺り用結合具とを選択的に取り付け可能になっていて、控え部材用結合具に代えてこの手摺り用結合具を取り付けることにより、笠木の上面にこの別の手摺りを立設できるようになっているものでもよい。
【００１５】
笠木が後者になっていると、笠木は、建物躯体への控え部材の取り付けのためと別の手摺りの取り付けのためとの両方に使用できることになり、笠木の兼用化を図ることができるとともに、もともと手摺りの取り付けのために製作されていた笠木を控え部材の取り付けのために使用することも可能になり、既製品の有効活用をも達成できることになる。
【００１６】
建物躯体への笠木の設置方法は、例えば、建物躯体にブラケットをベース部材で固定し、これらのブラケットとベース部材とを笠木で覆うとともに、笠木をブラケットに係合連結することにより行ってもよく、また、建物躯体に笠木をビス等の止着具で直接的に固定することにより行ってもよく、その設置構造は任意である。
【００１７】
笠木を建物躯体に前者の方法で設置した場合には、建物躯体と笠木との間に配置されて笠木を建物躯体に取り付けるためのブラケットおよびベース部材を笠木で隠すことができるため、外観を良好とすることができる。
【００１８】
笠木を建物躯体にこのような方法で設置した場合には、前記控え部材を笠木に結合するために笠木の上面に配置される控え部材用結合具を、笠木だけにビス等の止着具で止着してもよいが、笠木を貫通する止着具でベース部材に止着することがより好ましい。
【００１９】
控え部材用結合具を笠木を貫通する止着具でベース部材に止着した場合には、ベース部材は建物躯体に直接的に固定されているため、控え部材用結合具をベース部材を介して建物躯体に大きな強度で確実に取り付けることができるという効果を得られる。
【００２０】
このような控え部材用結合具の止着方法は、笠木が前述したように手摺り支持用の控え部材の一端を結合するために専用に製作されたものである場合と、控え部材用結合具および手摺り用結合具が笠木の上面に選択的に取り付け可能になっている場合との両方について適用できる。
【００２１】
これらのうちの後者において、手摺り用結合具を笠木を貫通する止着具でベース部材に止着するようにすると、手摺り用結合具も建物躯体にベース部材を介して大きな強度で確実に取り付けられるようになるとともに、控え部材用結合具と手摺り用結合具との止着のために同じベース部材を使用できるようになり、このときにも使用部材の兼用化、既製品の有効活用を達成できることになる。
【００２２】
以上の本発明に係る手摺りの支持構造は、手摺りが防水層が形成されている手摺り立設面に立設される場合と、防水層が形成されていない手摺り立設面に立設される場合との両方について適用可能であり、また、手摺りが防水層が形成されている手摺り立設面に立設される場合において、防水層を貫通して手摺り立設面に達するアンカー等の止着具が使用されないで手摺りが立設されてもよく、このような止着具が使用されて手摺りが立設されてもよい。
【００２３】
また、防水層は手摺り立設面に接着剤等で敷設固定された防水シートによるものでもよく、モルタルで形成されたものでもよく、その材料、素材は任意である。
【００２４】
また、手摺りが防水層が形成されている手摺り立設面に立設される場合であって、防水層を貫通して手摺り立設面に達するアンカー等の止着具が使用されないで手摺りが立設される場合において、手摺りの手摺り立設面への固定は、コンクリートブロックを使用した方式のものでもよく、根巻きコンクリート方式のものでもよい。
【００２５】
本発明に係る支持構造で支持される手摺りの立設場所の一例は建物の屋上であり、他の例はベランダやバルコニである。また、本発明の手摺りの支持構造は、集合住宅の外階段や外廊下に立設される手摺りにも適用できる。
【００２６】
そして、笠木が上面に被せられる上方へ突出した建物躯体は、パラペットでもよく、腰壁でもよい。
【００２７】
【発明の実施の形態】
以下に本発明の一実施形態を図面に基づいて説明する。図１は、本実施形態に係る手摺りの支持構造を示す側断面図であり、図２は、その正面図である。本実施形態は、従来例の図６と同じく、建物のパラペット付き屋上に設置される手摺り１に適用された場合であり、図１に示す通り、屋上２の屋上面３には防水層を形成する防水シート４が敷設されて接着剤で固定されている。屋上３の周縁部には建物躯体であるパラペット５が上方へ突設され、その建物内側は排水溝６になっている。
【００２８】
パラペット５から排水溝６を隔てている屋上面３には、防水シート４上においてコンクリートブロック７が配置され、このコンクリートブロック７は防水シート４に接着剤で固定されている。コンクリートブロック７上には手摺り１の支柱１Ａが配置され、この支柱１Ａは、手摺り１の基礎金具である下部の結合具８がアンカー等の止着具９でコンクリートブロック７に固定されることによりコンクリートブロック７に結合され、これにより手摺り１は、防水シート４による防水層が形成された手摺り立設面としての屋上面３にコンクリートブロック７を介して立設されている。
【００２９】
パラペット５の上面には、パラペット５の防水目的と外観対策のため笠木１０が被せられ、この笠木１０と手摺り１の支柱１Ａとの間に斜めに延びる棒材からなる控え部材１１が架設され、この控え部材１１により手摺り１は、手摺り１の延設方向に対して直角水平方向に作用する荷重に対して支持されるようになっている。図１に示すように、笠木１０の上面は排水溝６側へ下り勾配となるように角度α分だけ水平方向から傾斜しており、このため、笠木１０上に降った雨は排水溝６へ流下するようになっている。
【００３０】
控え部材１１の下端を笠木１０に結合するために、笠木１０の上面に笠木側の控え部材用結合具１２が配置され、控え部材１１の上端を手摺り１の支柱１Ａに結合するために、支柱１Ａに支柱側の控え部材用結合具１３が配置され、これらの結合具１２，１３に控え部材１１の両端部が挿入連結されている。
【００３１】
図３は、図１における笠木１０の周辺部分の拡大図であり、図４は、その分解斜視図である。笠木１０の下にはベース部材１４が配置され、さらにその下にはブラケット１５が配置されている。このブラケット１５は、笠木１０がパラペット５の全長に亘る長さを有しているのに対して短寸の幅を有するものであり、ブラケット１５に直交して載せられるベース部材１４は、ブラケット１５の幅寸法よりも大きいパラペット５の延設方向への寸法を有する。
【００３２】
このベース部材１４を具体的に説明すると、ベース部材１４をブラケット１５に載せたときにブラケット１５からはみ出す両端部の第１段部１４Ａと、これらの第１段部１４Ａに隣接した２個の第２段部１４Ｂと、これらの第２段部１４Ｂに間に形成されている１個の第３段部１４Ｃとからなり、このベース部材１４は板金の折り曲げで形成され、第１段部１４Ａよりも第２段部１４Ｂは高く、第２段部１４Ｂよりも第３段部１４Ｃは高くなっている。
【００３３】
第１段部１４Ａと第２段部１４Ｂとの段差はブラケット１５の厚さと同じであり、第２段部１４Ｂと第３段部１４Ｃとの段差はこれよりも大きく、第３段部１４Ｃの下側に上下寸法の大きな空間Ｓが形成されている。それぞれの第２段部１４Ｂには２個の孔１６が形成され、第３段部１４Ｃにも２個の孔１７が形成されている。
【００３４】
ブラケット１５は、ベース部材１４が載せられる本体部１５Ａと、この本体部１５Ａのパラペット幅方向両側おける上下延長部１５Ｂ，１５Ｃとからなり、図３で分かる通り、これらの上下延長部１５Ｂ，１５Ｃは本体部１５Ａから上下両方へ斜めに延び、建物外側の上下延長部１５Ｂの上下両端部には建物内側へ延びる突片１８，１９が形成され、建物内側の上下延長部１５Ｃの上下両端部には建物外側へ延びる突片２０，２１が形成されている。
【００３５】
そして、本体部１５Ａには上方へ突設された２個の突条２２が形成され、これらの突条２２の間隔はベース部材１４のパラペット幅方向の寸法と対応し、このため、ベース部材１４の第２段部１４Ｂと第３段部１４Ｃを２個の突条２２で位置決めしながら本体部１５Ａに載置できるようになっており、図４に示すように、この載置時にベース部材１４の孔１６と一致する本体部１４Ａの箇所に孔２３が形成されている。
【００３６】
笠木１０は、ベース部材１４の第３段部１４Ｃとブラケット１５の突片１８，２０とに載せられる上面部１０Ａと、この上面部１０Ａのパラペット幅方向両端部から鉛直に垂下した前面部１０Ｂ、後面部１０Ｃとからなり、これらの前面部１０Ｂと後面部１０Ｃの下端には互いに向き合う方向に突出した係合部２４，２５が形成されている。
【００３７】
前記笠木側の控え部材用結合具１２は笠木１０の上面部１０Ａに載せられるフランジ１２Ａを有し、このフランジ１２Ａには孔２６が設けられている。また、上面部１０Ａにも、図３で示すように、この孔２６と一致する孔２７が形成されている。
【００３８】
パラペット５への笠木１０の取り付け作業、および笠木１０への控え部材用結合具１２の取り付け作業は次ぎの通り行う。先ず、ベース部材１４の第３段部１４Ｃの下部の空間Ｓにナット２８を配置し、このナット２８を孔１７と一致させて第３段部１４Ｃの下面に溶接等で固着しておく。次いでブラケット１５をパラペット５の上面に載せ、さらに、ブラケット１５の本体部１５Ａにベース部材１４の第２段部１４Ｂと第３段部１４Ｃを２個の突条２２で位置決めしながら載せる。この後、互いに一致したベース部材１４の第２段部１４Ｂの孔１６とブラケット１５の孔２３とに止着具であるビス２９を挿入し、このビス２９をパラペット５に予め埋設されている図３のアンカー部材３０に螺入し、締め付ける。これにより、ブラケット１５はベース部材１４でパラペット５に固定されることになる。
【００３９】
次いで、笠木１０をベース部材１４とブラケット１５に被せ、図３に示されている通り、笠木１０の上面部１０Ａの下面をベース部材１４の第３段部１４Ｃとブラケット１５の突片１８，２０とに当てるとともに、笠木１０の前面部１０Ｂの係合部２４と後面部１０Ｃの係合部２５とを、前面部１０Ｂと後面部１０Ｃの弾性湾曲作用でベース部材１４の突片１９，２１に係合させ、これにより笠木１９はブラケット１５に係合連結される。
【００４０】
このとき、ブラケット１５の突片１８と２０とに高さの段差があり、またベース部材１４の第３段差部１４Ｃは傾斜しているため、笠木１０は図１に示すように前記αの水勾配角度を有することになる。
【００４１】
この後、笠木１０の上面部１０Ａに前記控え部材用結合具１２を載せ、この結合具１２のフランジ１２Ａの孔２６と笠木１０の孔２７とに止着具であるボルト３１を挿入し、さらにこのボルト３１をベース部材１４の第３段差部１４Ｃの孔１７にも挿入し、この第３段差部１４Ｃの下面に固着されているナット２８に螺入して締め付ける。これにより控え部材用結合具１２は笠木１０に取り付けられるとともに、ベース部材１４を介してパラペット５に結合される。
【００４２】
次いで、この控え部材用結合具１２に控え部材１１の下端を連結するなどの作業を行い、控え部材１１によって手摺り１を支持させる。
【００４３】
以上説明した笠木１０、ベース部材１４、ブラケット１５は控え部材１１の下端を控え部材用結合具１２を介してパラペット５に結合するために専用に製作されたものではなく、これらは、図１、図２で示した手摺り１とは別の図５で示す手摺り４１を例えばベランダの躯体である腰壁４２に立設するために製作されていたものである。
【００４４】
すなわち、腰壁４２へのブラケット１５の取り付けは、図３、図４の場合と同じく、ブラケット１５にベース部材１４を載せ、これらのベース部材１４、ブラケット１５に腰壁４２まで達するビス２９を挿入して行われ、ブラケット１５の突片１９，２１に笠木１０の係合部２４，２５を係合し、笠木１０によってベース部材１４とブラケット１５を覆う。笠木１０上に手摺り４１を設置するときには、手摺り４１の支柱４１Ａの下部に固定された手摺り用結合具４３のフランジ４３Ａに止着具であるボルト４４を挿入し、このボルト４４を笠木１０の図３で示した孔２７、ベース部材１４の孔１７にも挿入し、ベース部材１４の第３段部１４Ｃの下面に固着されているナット２８に螺入して締め付ける。
【００４５】
これにより、手摺り４１は手摺り用結合具４３で笠木１０に取り付けられるとともに、ベース部材１４を介して腰壁４２に結合される。
【００４６】
以上のように、本実施形態に係る笠木１０の上面には、図３、図４の控え部材用結合具１２と図５の手摺り用結合具４３とが選択的に取り付け可能となっている。
【００４７】
なお、控え部材用結合具１２のフランジ１２Ａと手摺り用結合具４３のフランジ４３Ａの大きさが異なる等の理由により、それぞれ２本の図３、図４のボルト３１の間隔と図５のボルト４４の間隔とが相違する場合には、ベース部材１４の第３段部１４Ｃに形成する２個の孔１７を間隔を異ならせて予め２種類が設けておき（図４の実線で示した孔と二点鎖線で示した孔はこれを表す）、これらの孔の全部について第３段部１４Ｃの下面にナット２８を固着しておいてもよい。また、笠木１０には現場施行によってボルト３１と４４の一方を挿入できる２個の孔を形成してもよく、あるいはこれらのボルト３１，４４を挿入できる合計４個の孔を予め笠木１０に形成しておき、ボルトが挿入されない孔を笠木１０に載せられる控え部材用結合具１２のフランジ１２Ａと手摺り用結合具４３のフランジ４３Ａとのうちのいずれか一方で隠すようにしてもよい。
【００４８】
以上説明した本実施形態によると、手摺り１が防水シート４に接着剤で固定されたコンクリートブロック７上に配置され、このため、手摺り１が、防水シート４を貫通して屋上面３に達する止着具が使用されずに屋上２に設置されても、手摺り１と、パラペット５の上面に被せられた笠木１０との間に控え部材１１が架設され、この控え部材１１で手摺り１は支持されるため、手摺り１の支持強度を大きくできる。
【００４９】
また、笠木１０はパラペット５の防水目的や外観を良好とするために本来必要なものであるため、この控え部材１１による手摺り１の支持強度の向上をこのような笠木１０を有効利用して行える。
【００５０】
さらに、控え部材１１の下端を笠木１０に結合するための控え部材用結合具１２は、単に笠木１０に取り付けられるのでなく、ブラケット１５をパラペット５に固定するためのベース部材１４に笠木１０を貫通したボルト３１で止着されるため、この控え部材用結合具１２はベース部材１４によって直接的にパラペット５に結合されることになり、控え部材用結合具１２のパラペット５への取り付け強度も大きくできる。
【００５１】
また、笠木１０の上面には控え部材用結合具１２と、手摺り１とは別の手摺り４１のための手摺り用結合具４３とを選択的に取り付け可能となっているため、笠木１０はこの別の手摺り４１の設置のためにも利用できて笠木１０の兼用化を図ることができ、言い換えると、手摺り４１の設置のために製作されていた既製品の笠木１０を控え部材１１による手摺り１の支持強度の向上のために使用でき、控え部材１１のための新たな笠木を製作することを要しない。
【００５２】
また、手摺り４１のための手摺り用結合具４３は、控え部材用結合具１２の場合と同じく、ベース部材１４に笠木１０を貫通するボルト４４で連結されるため、手摺り用結合具４３のパラペット５への取り付け強度が大きくなるとともに、笠木１０の上面に控え部材用結合具１２を配置する場合と手摺り用結合具４３を配置する場合との両方について、ベース部材１４とブラケット１５を共通使用することができる。
【００５３】
【発明の効果】
本発明によると、手摺りの支持強度を大きくでき、しかも、上方へ突出した建物躯体に防水目的等のために被せられる笠木を有効利用しながら、この支持強度の向上を達成することができる。
【図面の簡単な説明】
【図１】本発明の一実施形態に係る手摺りの支持構造が建物のパラペット付き屋上に適用された場合を示す側断面図である。
【図２】図１の手摺りの支持構造の正面図である。
【図３】図１の笠木の部分の拡大図である。
【図４】図４で示された笠木取り付け構造の分解斜視図である。
【図５】図１〜図４で示された笠木、ベース部材、ブラケットが使用されて図１、図２の手摺りとは別の手摺りを腰壁等の建物躯体に設置したときを示す側断面図である。
【図６】パラペット付き屋上に設置される手摺りの従来の支持構造を示す側断面図である。
【符号の説明】
１，４１  手摺り
１Ａ，４１Ａ  手摺りの支柱
３  手摺り立設面である屋上面
４  防水層を形成する防水シート
５  建物躯体であるパラペット
１０  笠木
１１  控え部材
１２  控え部材用結合具
１４  ベース部材
１５  ブラケット
３１，４４  止着具であるボルト
４２  建物躯体である腰壁
４３  手摺り用結合具
【図１】
0003670136.tif 000002
【図２】
0003670136.tif 000003
【図３】
0003670136.tif 000004
【図４】
0003670136.tif 000005
【図５】
0003670136.tif 000006
【図６】
0003670136.tif 000007